(57)【要約】      （修正有）【課題】弓用の弦の両端部に設けられる弦輪の柔軟性を確保すると共に弦の伸びを防止することが可能となる弓用の弦を提供する。【解決手段】弦本体１の補強部分には接着剤を使用せず、糸３や金属管を用いて、補強部分の端部を圧着状態としたものである。つまり、弦本体１の両端部の所定長さ（弦が弓に掛かる弦輪相当の長さ）に渡って取付けた補強材２と、補強材２の少なくとも中央寄りの端部に、緊縛した糸３或いは押し潰して固着させた金属管と、から成す。【選択図】図１
0003186237.tif 000002
【実用新案登録請求の範囲】
【請求項１】
弦本体（１）の両端部の所定長さに渡って取付けた補強材（２）と、該補強材（２）の少なくとも中央寄りの端部に緊縛した糸（３）とから成したことを特徴とする弓用の弦。
【請求項２】
弦本体（１）の両端部の所定長さに渡って取付けた補強材（２）と、該補強材（２）の少なくとも中央寄りの端部に押し潰して固着させた金属管（４）とから成したことを特徴とする弓用の弦。
【考案の詳細な説明】
【技術分野】
【０００１】
本考案は弦の両端部に弦輪を作り、その弦輪を弓に取付けて使用する弓用の弦に関する。
【背景技術】
【０００２】
一般に竹弓の新品を用いて毎日弓を引いて練習すると、数ヶ月で１割前後弓力が落ちてしまう。このため、自分に合った弓力の弓よりも１割くらい強い弓を購入し、数ヶ月はその強過ぎる弓を使用しているのが現状であり、必要以上に弦の両端部に強い力が掛かるため、弓に弦を取付ける弦輪が作られる場合、弦が弓に掛かる部分には、弦本体に糸や布等を巻いて接着剤で固定し、弦が補強された後、弦輪を作っていた。
【０００３】
この時の接着剤の塗布量やそのタイミング等の作業は分かりにくく、且つ、弓本体と補強材が確実に接着出来る接着剤がないため、取り扱いが難しく且つ手間が掛かると共に作業に熟練技能を要するものであった。しかも、熟練技能者が作業しても、弦本体と補強材を完全に接着出来ないので、弦本体と補強材は完全に一体化することが困難であり、不良品が３〜５％必ず発生し、しかも不良の有無は、見た目では判別することが出来ず、使用するまで分らないのが現状であった。更に接着剤の成分が、体質に合わない人がいるので、作業者が限定されるなどの問題点があった。
【０００４】
又、弦輪はそれぞれの弓に合せて１つずつ作製されるため、手間が掛かり、しかも弦輪を作製する場合は、補強材に塗布した接着剤が固化した後に、弦輪を作らなければならないと共に、接着剤が固化した弦は硬くて作業性の悪いものであった。従って、弓を引いて練習している間に、補強材が剥離して弦が伸び易くなると共に、接着剤を使用した場合には、如何しても弦の伸びを完全になくすことは困難であるのが現状である。
【０００５】
このため、補強材の剥離がしにくく、且つ、弦輪が作り易くなるように提案したものとして、特開平１０−２１３３９５号，実用新案登録第３１３８２６４号，特開２０１０−２０４２２３などが提案されている。特開平１０−２１３３９５号の構造は、弦の芯材（弦本体）に、石目編みで編んだ補強用のスリーブを被せた後、弦の中心方向の端を接着するものであった。上記のように接着剤を使用するため、弦の伸びを完全になくすことは困難であった。
【０００６】
一方、実用新案登録第３１３８２６４号は、弦輪を作る部分に麻及びアラミド繊維の地巻きをして補強した弓の弦に網代網の組紐を通して補強したものであり、又、組紐の数箇所に３〜５本程度糸を増やして編んだ組紐により滑り留めをして網代網に成した組紐を使用するものであった。しかしながら、弦を通すために組紐の中心に２〜５ｍｍ程度の穴をあけて、弓の弦が通り易くしておく必要があるため、面倒であると共に、組紐の本数を増やしただけでは、弦の伸びを完全になくすことは困難であった。
【０００７】
更に、特開２０１０−２０４２２３は、熱可塑性樹脂を含浸させたポリアラミド繊維のマルチフィラメントを複数束ねた撚糸から成る弦本体の両端から一定範囲に、ポリアラミド繊維のマルチフィラメント糸の補強材を１往復させて旋回被覆し、その補強材は、往路内及び復路内で隣り合う補強材が離間しており、弦本体と補強材は、弦本体に含浸された熱可塑性樹脂とは別の軟質な熱可塑性樹脂により一体化されたものである。しかしながら、弦本体と補強材は軟質な熱可塑性樹脂によって一体化されているが、軟質な熱可塑性樹脂は接着剤に相当し、接着剤が使用されたものと略同じであるため、上記のものと同様に弦の伸びを完全になくすことは困難であった。
【０００８】
尚、従来に於いては、接着剤無しで補強材を固定させる発想はなく、且つ、本願のように糸だけで固定させる発想もないものであった。特に糸だけで補強材を固定させることは、大きな力が加わるため、困難と考えられていた。
【先行技術文献】
【特許文献】
【０００９】
【特許文献１】特開平１０−２１３３９５号公報
【特許文献２】実用新案登録第３１３８２６４号公報
【特許文献３】特開２０１０−２０４２２３号公報
【考案の概要】
【考案が解決しようとする課題】
【００１０】
本考案は弓用の弦の両端部に設けられる弦輪の柔軟性を確保すると共に弦の伸びを防止することが可能となる弓用の弦を提供することを目的とする。
【課題を解決するための手段】
【００１１】
本考案は上記現状に鑑み成されたもので、本考案の弦本体の補強部分には接着剤を使用せず、糸や金属管を用いて、補強部分の端部を圧着状態としたものであり、つまり、弦本体の両端部の所定長さに渡って取付けた補強材と、該補強材の少なくとも中央寄りの端部に、緊縛した糸或いは押し潰して固着させた金属管と、から成す。尚、本考案で言う「弦本体の両端部の所定長さ」とは、弓に弦を取付ける弦輪が作られる際に、弦が弓に掛かる部分相当の長さを指すものとする。また本考案で言う「緊縛した糸」の「糸」には、市販されている糸製品だけを指すのではなく、巻き付けて緊縛する際に糸状にしたもの、例えば薄布などを捩って糸状（断面が略円形状）にして用いる場合も含まれるものとする。
【考案の効果】
【００１２】
請求項１のように弦本体（１）の両端部の所定長さに渡って取付けた補強材（２）と、該補強材（２）の少なくとも中央寄りの端部に緊縛した糸（３）とから成すことにより、糸（３）の食い込みによって弦本体（１）に補強材（２）も食い込んだ押圧状態で密着するものとなり、且つ、補強された弦の両端部は柔軟性が確保されるので、弦輪の製作が容易となる。しかも接着剤を使用しないので、弦の伸びが防止可能となると共に糸（３）の巻き付け具合が正確に行われているか否かが、外部から確認できため、不良品の確認が視認可能なものとなることにより、顧客の製品信頼度が大幅に上昇するものとなる。更に接着剤を使用する作業がないため、弦輪を作製する作業がパートの人でも簡単に行え、且つ、正確に作業し易いものとなるのである。
【００１３】
請求項２のように弦本体（１）の両端部の所定長さに渡って取付けた補強材（２）と、該補強材（２）の少なくとも中央寄りの端部に押し潰して固着させた金属管（４）とから成すことにより、金属管（４）の圧着した加圧によって弦本体（１）に補強材（２）が押圧状態で密着するものとなり、請求項１と同様の効果が得られると共に所定の工具を使って簡単に金属管（４）が押し潰されて固着出来るので、弦輪を作る作業性が極めて効率の良いものとなる。
【図面の簡単な説明】
【００１４】
【図１】本考案の実施形態を示す説明図である。
【図２】本考案の別実施形態を示す説明図である。
【図３】本実施形態の弦で作られた弦輪を示す斜視図である。
【図４】本考案の別実施形態の弦で作られた弦輪を示す斜視図である。
【考案を実施するための形態】
【００１５】
本考案の実施形態を図１に基づいて説明する。（１）は弓用の一般的な弦本体であり、該弦本体（１）の材質としては、麻などの天然繊維を束ねたものや、ポリアミド系樹脂などの化学繊維を用いる。（２）は弦本体（１）の両端部の所定長さ（弦輪を作るための長さ約１５０〜３００ｍｍ）に渡って被覆した網状チューブ（21）の補強材であり、該補強材（２）としては網状チューブ（21）以外に、従来から使用している糸や布（22）或いはチューブ等を用いても良い。（３）は補強材（２）の少なくとも中央寄り（図中左側）の端部に緊縛した糸であり、該糸（３）は補強材（２）の端から５〜３０ｍｍの間を隣と隙間なく且つ強く巻き付けて２〜３回往復して食い込ませる。
【００１６】
図２は本考案の別実施形態を示す図であり、これは前記実施形態と比べ、補強材（２）として布（22）を用いると共に補強材（２）の端部に、糸（３）の代りに金属管（４）を挿入させて、その後、金属管（４）を押し潰して、弦本体（１）に補強材（２）を押し付けて固着させている。他は同じである。前記金属管（４）の材質としては、銅管，アルミニウム管などの管を用いると良い。
【００１７】
次に本考案の弦本体（１）の弦輪部分の作製方法について説明する。先ず始めに弦本体（１）の両端の弦輪部分相当の長さに渡って網状チューブ（21）を被覆するか、或いは布（22）を強く巻き付けて行く。この時、布（22）を強く巻き付ける際は、端部に図示しない接着剤を点付けしてから、布（22）を強めに巻いて行くのが良い。この網状チューブ（21）の被覆方法や、布（22）の巻き付け方は、略従来と同様に行えば良い。尚、接着剤の塗布は殆ど行わず、作業上で必要最小限に止めておく。次に弦本体（１）に取付けた補強材（２）の中央寄り（図中左側）の端から５〜３０ｍｍの間を隣と隙間なく且つ強く巻き付けて２〜３回往復して食い込ませる。すると、補強材（２）は巻き付けた糸（３）によって、弦本体（１）に補強材（２）が表面に密着すると共に圧着状態で密着されたものとなる。この時の糸（３）の端同士を結ぶと良いが、結ばずに端を接着剤で仮固定しただけでも良い。以上で弦本体（１）の弦輪部分の補強は完了する。
【００１８】
尚、前記糸（３）による緊縛は、補強材（２）の両端部に行っても良い。又、本願のように糸（３）だけで強固に固定させることは、従来では困難と考えられていたが、本考案者が種々の実験を行い、糸（３）を強めに食い込むように巻くことで、補強材（２）の端部が解れて動くことなく固定出来ることが確認できた。つまり、本考案品を５０本用意し、弦輪を形成した後、それを弓に取付けて１ヶ月使用した後、弦本体（１）の伸び（弦輪部分の弛みによる伸び）を調査したところ、大半のものは殆ど伸びが見られなかった。中には多少の弛みも見受けられたが、この弛みによる伸びは、従来品と比べると極めて小さな伸びであった。
【００１９】
次に糸（３）の代りに、金属管（４）を用いる場合について説明する。弦本体（１）に取付けた補強材（２）の端から金属管（４）を挿入し、中央寄り（図中左側）の端部に金属管（４）を配置させた後、プライヤー或いは潰し専用工具などを用いて金属管（４）を押し潰すと、補強材（２）の端部は弦本体（１）と共に押し潰された状態（圧着状態）で密着するものとなる。これで弦本体（１）の弦輪部分の補強は完了する。尚、前記金属管（４）の圧着は、補強材（２）の両端部に行っても良い。
【００２０】
次に本考案の弦本体（１）に弦輪を作製する場合は、従来と同様にして弦輪を形成させれば良い。この時、本考案の弦本体（１）の弦輪部分の補強部分には、全く接着剤（７）を使用しないか、或いは一部だけ少量使用するだけであるので、補強部分全体が従来の如く固化することなく柔軟であるため、弦輪の作製が極めて行い易いものとなる。しかも熟練技能が不要となり、パートの人でも弦本体（１）の弦輪を作製することが可能となるのである。
【符号の説明】
【００２１】
１  弦本体
２  補強材
21  網状チューブ
22  布
３  糸
４  金属管
【図２】
0003186237.tif 000003
【図１】
0003186237.tif 000004
【図３】
0003186237.tif 000005
【図４】
0003186237.tif 000006